(57)【要約】【課題】軽量かつ折り畳み自在で携帯・保管に便利であって、洗浄し易い内箱を有して水分や汚れに強いとともに、製造コストが低廉で断熱効果の十分な保冷保温ボックスを提供する。【解決手段】一枚の所定の形状に切り抜かれた耐水性ブランクシートを折り曲げて組み立ててなる上面が開口して液体を漏らさずに保持する内箱４と、前記内箱４をその内側に保持する上面が前記開口に開閉可能な上蓋を有している断熱性素材からなる折り畳み式の外箱５と、外箱５と内箱６との間で複数の板状断熱材を挟装してなる断熱部６，６ｂ備えたことを特徴とする保冷保温ボックスとする。【選択図】        図４
2004168361.tif 000002
【特許請求の範囲】
【請求項１】
一枚の所定の形状に切り抜かれた耐水性ブランクシートを折り曲げて組み立ててなる上面が開口して液体を漏らさずに保持する内箱と、前記内箱をその内側に保持する上面が前記開口に開閉可能な上蓋を有している折り畳み式の外箱とを備えたことを特徴とする保冷保温ボックス。
【請求項２】
前記外箱が断熱性素材からなる請求項１記載の保冷保温ボックス。
【請求項３】
前記外箱が柔軟素材からなる請求項２記載の保冷保温ボックス。
【請求項４】
前記外箱と前記内箱との間に複数の板状断熱材が前記内箱を覆うように挟装されている、請求項１，２または３記載の保冷保温ボックス。
【請求項５】
前記外箱と内箱との間に挟装される複数の板状断熱材が、予め所定の接続縁で互いに蝶着されて一体となって折り畳み可能な請求項４記載の保冷保温ボックス。
【請求項６】
前記板状断熱材が、発泡フェノール樹脂からなる請求項４または５記載の保冷保温ボックス。
【請求項７】
前記板状断熱材が、真空断熱材からなる請求項４または５記載の保冷保温ボックス。
【発明の詳細な説明】
【０００１】
【発明の属する技術分野】
本発明は、保冷または保温を必要とする各種物品を一定時間保冷または保温しながら保存・運搬するための保冷保温ボックスに関する。
【０００２】
【従来の技術】
生鮮食料品や飲料を運搬する場合、或いはアイスクリームや冷凍食品等を販売店から持ち帰る場合等、保冷材を入れたクーラーボックス中にこれらを収納して品質が劣化するのを防ぐのが一般的である。一方、最近においては調理した料理や総菜を冷凍してチェーン店に配布したり、或いは出前やケータリング等、料理を暖かいまま運搬したい場合も多く、簡易な保冷保温ボックスも多用されている。
【０００３】
しかし、一般に硬質合成樹脂により成型されているクーラーボックスは、箱型で重量もあって嵩張るため、予め買い物に持参できない場合が多いが、出先で高価なクーラーボックスを購入するのは無駄が大きいことから、発砲スチロール樹脂等の簡易な容器を入手することが多かった。
また、小型の業務用運搬容器としてもこのような簡易な容器が利用される場合が多かった。斯かる発泡樹脂製の容器は安価ではあるが、折り畳むことが出来ないため購入者にとって携帯に不便であるし、販売者が複数保有する場合は保管に不便であった。
【０００４】
一方、フランチャイズの弁当屋やレストランにおいては、工場において一食分単位で各々包装・冷凍してこれらを纏めて各店に運搬するが、この場合、中型サイズの保冷ボックスに入れて運搬していた。
しかし、この保冷ボックスは剛性の高い容器であってコスト高となるとともに、不使用時は嵩張って保管に不便なものであった。
【０００５】
そこで、特開平８−５８８４７号公報及び特開２００２―２８２８号公報には、発泡材の両面にアルミ蒸着シートを粘着して、折り畳み自在とした保冷保温ボックスが提示されている。この保冷保温ボックスは軽量で折り畳んで小さくなるため、携帯に便利であって保管コストも低廉である点で有用な技術である。
【０００６】
しかしながら、この保冷保温ボックスは断熱性を高める目的で発泡材の両面にアルミ蒸着シートを粘着した複雑な構造であって、材料コスト及び製作コストが高いものであった。また、外箱のみで断熱するため多層構造のクーラーボックスに比べて断熱性が劣るとともに、内箱だけを外して洗浄することもできない不便さがあった。さらに、濡れた物品を入れると外箱の縫い目から水分が漏れやすいという問題もあった。
【０００７】
一方、特開２０００−３４４２２７号公報には、一般的な合成樹脂成型容器に替えて、紙製の２重箱からなる保温保冷ケースが提示されている。
この保温保冷ケースは、内箱と外箱との間に空気層を設けることにより断熱材を必要としないものである。また、内箱と外箱が各々一枚の紙製のブランクシートから組立てられることから、製造コストが低廉であるとともに嵩張らないため保管や運搬にも有利である。また、焼却しやすい素材であることから廃棄が容易である。
しかしながら、この保温保冷ケースは段ボール等の紙で出来ているため、耐久性に問題があった。また、水分の多い物品を入れた場合、防水フィルム等でコーティングしていても、水漏れ等のトラブルが生じやすいものであった。
【０００８】
【発明が解決しようとする課題】
本発明は、上記のような問題点を解決しようとするものであり、軽量かつ折り畳み自在で携帯・保管に便利であって、洗浄し易い内箱を有して水分や汚れに強いとともに、製造コストが低廉で断熱効果の十分な保冷保温ボックスを提供することを課題とするものである。
【０００９】
【課題を解決するための手段】
そこで、本発明は、一枚の所定の形状に切り抜かれた耐水性ブランクシートを折り曲げて組み立ててなる上面が開口して液体を漏らさずに保持する内箱と、前記内箱をその内側に保持する上面が前記開口に開閉可能な上蓋を有している折り畳み式の外箱とを備えたことを特徴とする保冷保温ボックスとした。
このような複数の箱体で多層構造を形成させることで断熱効果が高まるとともに、内箱の構成が簡易で製造容易となるため、全体のコストは低廉である。また、内箱が耐水性シートを器状に折って構成したものであるため、濡れた物品を入れても液体の漏れがないとともに、内側が汚れてもこれを分離して容易に洗浄できる。そして、外箱ばかりか内箱も平面的に折り畳むことができるため、製造時のみならず、流通時及び販売後においても携帯・保管に都合がよい。
【００１０】
また、前記外箱をアルミ蒸着シートのような断熱性素材からなるようにすれば、保冷保温効果が更に向上し、前記断熱性素材を柔軟素材とすれば、折り畳みが容易となる。
【００１１】
さらに、前記外箱と前記内箱との間で複数の板状断熱材を前記内箱を覆うように挟装して、前記内箱の外面と前記外箱の内面との間の殆どをカバーすれば、保冷保温効果が更に高度なものとなる。また、この場合、断熱材が単純な板状体の組み合わせであるため、成型のための型を必要とせず、低廉且つ簡易に製造することができるとともに、全体として小さくまとめることも容易となる。
【００１２】
さらにまた、前記複数の板状断熱材を、予め所定の接続縁で互いに蝶着して一体にして折り畳み可能とすれば、断熱材の折り畳み・組立作業が更に容易となる。
加えて、前記板状断熱材を発泡フェノールとすれば、軽量で断熱効果に優れるともに、燃焼しにくいことから安全性の高い製品となる。そして、前記板状断熱材を、真空断熱材とすれば、さらに断熱効果が良好となる。
【００１３】
【発明の実施の形態】
次に、本発明の実施の形態について図面を参照しながら以下に詳細に述べる。
【００１４】
図１は、本発明における第１の好ましい実施の形態を示すもので、保冷保温ボックス１は、箱型を呈する本体部１Ａとその上面開口部を開閉する蓋部１Ｂとからなり、両者の接続縁の一部において配置された柔軟な帯状部材からなる蝶番部３で開閉可能に蝶着されている。また、本体部１Ａと蓋部１Ｂとの解放端縁には、ファスナーからなる結合部材７が設置されて、結合・解放が容易となっており、これにより使用時における容器内外の空気の流通が最小限となり、保冷・保温効果が確実となる。
【００１５】
図１に示すように、本体部１Ａは、上面が開口した内箱４と、これを内部に保持して略箱型をなす柔軟素材からなる外箱５とを備えている。また、内箱４の上部の開口を覆うように、内箱４と同一素材からなる上板４ｂが蓋部１Ｂの内側に保持されている。
図２は、本体部１Ａの外箱５から内箱４を取り出して、蓋部１Ｂから上板４ｂを取り出した状態を示している。外箱５の内面形状と内箱４の外面形状はほぼ一致しているが、その間に空隙部からなる空気層が存在して多層構造をなし、保温効果が期待できるようになっている。そして、内箱４及び上板４ｂを洗浄する場合等には図２のように各々分離することができる。
【００１６】
図１に示すように、蓋部１Ｂは、その外面が外箱５の蓋部を構成して、前記蝶番部３で外箱５の本体部と連結されている。また、蓋部１Ｂの内面に配置された上板４ｂは、矩形板状の４辺に沿って４つの側面を形成するように折り曲げられて形成され、内箱の開口部に対して蓋となるとともに、蓋部１Ｂの外面との間に空隙部からなる空気層を作ってその上面における断熱効果を確実にしている。
【００１７】
外箱５は、例えばポリエステルフィルムにアルミニウムを蒸着したものを外面に、発泡ポリプロピレンシートを内面に設けた柔軟性断熱シートを箱状に縫製して作成すればよい。これにより、外箱５を構成する素材自体も多層構造をなして断熱効果が良好となる。また、外箱５は、比較的薄い柔軟シートとしてあるため容易に折り畳むことができる。
【００１８】
内箱４及び上板４ｂは、図３に示すような各々一枚のブランクシートから容易に組み立てることができる。このブランクシートは、折り曲げて箱型を形成しても型くずれしない強度と耐水性を備え、折り曲げ部が破折しないような柔軟性とを持つ素材が好ましい。例えば適当な厚さの塩化ビニル樹脂等の素材を用いればよい。また、波線は折り目を示すが、この線に沿って、浅い溝を設けると曲げやすくなる。
【００１９】
このようなブランクシートの組み立て方式にすることで、立体いつ、７の上部Ａと蓋部１Ｂとは、ファスナー等の結合手段で成型するための型を必要としないばかりか、製造工程における保管・運搬においてもコストを削減することができる。尚、図３の内箱４はブランクシートの一例であって、上面が開口した箱形にした場合に内部に入れた液体が漏れないものであれば、他の形状のブランクシートから内箱を作成してもよい。
【００２０】
図４は、本発明における第２の好ましい実施の形態を示すもので、図１の保冷保温ボックス１の本体部１Ａにおいて内箱４と外箱５との間の空隙部に断熱部６を設け、蓋部１Ｂにおいて、その外面部と上板４ｂとの間の空隙部に断熱部６ｂを設けた保冷保温ボックス２の分解斜視図を示している。
【００２１】
断熱部６，６ｂは、矩形板状の断熱材から構成されるが、本実施の形態においては、図５に示すように底部の断熱材６ａを中心として断熱材６ｃ，６ｄ等の各部材が粘着テープ８で連結されて一体となり、図６に示すように小さく折り畳めるようになっている。これにより、保冷保温ボックス２の不使用時にはこれを小さく畳むことができ、保管スペースをとらず携帯にも便利となる。
【００２２】
断熱部６，６ｂの素材は、断熱効果・製造コスト・加工性・軽さの点から発泡樹脂が推奨されるが、発泡ポリスチレン樹脂が前記性能の高さから好ましく、さらに発泡フェノール樹脂が断熱性の高さ及び燃焼し難い点で最も好ましい。さらにまた、近年使用されるようになった真空断熱材は、断熱効果が特に優れる。例えば連通孔ポリウレタンを芯材として、アルミを利用して空気透過性を極めて低くしたシート材で密閉状態として脱気したものなどが用いれば、極めて断熱性の高いものとなる。
そして、上述した各部品は、各々構成が単純かつ軽量であるため、保冷保温ボックス２全体としても軽量になるとともに、低コストで製造することができる。
【００２３】
次に、上述した保冷保温ボックス２の使用方法を以下に説明する。
不使用時には、内箱４を図３の状態または３つ折り程度の状態にして平面状にしておき、断熱部６は図６に示す状態に折り畳んで外箱５の中に入れて、外箱５の余った空隙部を畳んでつぶしておけば、体積を組立時の約２分の１から３分の１にすることができる。
【００２４】
そして、使用時には保冷保温ボックス２を短時間で簡単に組み立てることができる。
例えば保冷目的の場合は、ドライアイス等の保冷材とともに、保冷する物品を内箱に入れ、ファスナーからなる結合部材７にて本体部１Ａと蓋部１Ｂを密着結合させる。結合部材２により容器内外の空気の出入は最小限となるが、完全な密封状態ではないため、ドライアイスから発生した二酸化炭素は適宜外部に排出される。尚、保冷高価の優れた本発明を使用すれば、斯かるドライアイスのような高価な保冷材の節約にもつながるため、全体としてもコストダウンが期待できる。
【００２５】
また、ドライアイスを入れた場合でも、内箱４が耐水性樹脂シートからなるため、その低温による素材劣化の心配も少ない。さらに、水漏れしない折り方で器状に組み立てているため、内箱４の底部及び側面から液体が漏れることはない。
尚、保温目的の場合は、短時間であれば所定の温度の物品をそのまま入れておけば温度を保つことができる。
【００２６】
そして、内箱４が内容物で汚れた場合、これを取り外して単独で洗浄することができる。この場合、平面状のシートに拡開すれば隅部も洗浄しやすく、乾燥も容易である。
【００２７】
図７の（Ａ），（Ｂ），（Ｃ）は、本発明における第３の好ましい実施の形態を示すもので、保冷保温ボックス２１の外箱５ｂを示している。
保冷保温ボックス２１の全体構成は図４の保冷保温ボックス２とほぼ同様であるため図示しないが、外箱５ｂが比較的堅固な薄板からなり、折り目に沿って約２分の１に折り畳むことができるようになっている点で異なり、蓋部を本体部に閉じて固定する結合部材７ｂ，７ｂが、面状ファスナーである点で異なる。
【００２８】
外箱５ｂは、内箱４と同様に１枚のブランクシートから折り目に沿って組み立てて、図７の（Ａ）に示すような状態にすることができる。また、これを再度拡開して１枚のブランクシートにできるとともに、上半分を折り畳んで図７の（Ｃ）に示すような状態にすることもできる。また、折り畳んだ状態にしたときに内箱４と断熱部６，６ｂ等の総てをその中に収納できるのも保冷保温ボックス２と同様である。
外箱５ｂを構成する板状の樹脂シートの素材は特に限定がなく、紙や塩化ビニルシート等でもよいが、これを段ボールの構造のように内側面と外側面との間に波状にシートを貼って、連続した空隙部を設けて構成すれば、断熱性に優れるとともに強度も十分となる。
【００２９】
尚、本発明を実施するための最良の形態は以上の説明で十分に説明したが、本発明はこれに限定されるものではない。
【００３０】
【発明の効果】
以上述べたように、本発明である保冷保温ボックスは軽量かつ折り畳み自在であるため、携帯及び保管に便利となった。また、多層構造により断熱効果に優れるとともに、洗浄し易い内箱を有して水分や汚れに強くなった。さらに、各部品が簡易な構成であり、製造コストが低廉である。
【図面の簡単な説明】
【図１】本発明における第１の好ましい実施の形態を示す斜視図である。
【図２】図１の保冷保温ボックスの分解斜視図である。
【図３】図２の内箱を拡開した状態を示す平面図である。
【図４】本発明における第２の好ましい実施の形態を示す分解斜視図である
【図５】図４の断熱部の構成を示す斜視図である。
【図６】図５の断熱部を折り畳んだ状態を示す斜視図である。
【図７】本発明における第３の好ましい実施の形態を示す斜視図である。
【符号の説明】
１，２，２１  保冷保温ボックス、１Ａ  本体部、１Ｂ  蓋部、３  蝶番部、４  内箱、４ｂ  上板、５，５ｂ  外箱、６，６ｂ  断熱部、６ａ，６ｃ，６ｄ断熱材、７，７ｂ  結合部材、８  粘着テープ
【図１】
2004168361.tif 000003
【図２】
2004168361.tif 000004
【図３】
2004168361.tif 000005
【図４】
2004168361.tif 000006
【図５】
2004168361.tif 000007
【図６】
2004168361.tif 000008
【図７】
2004168361.tif 000009